(57)【要約】【課題】別々の装置から得られた患者に関する情報、すなわちカード読取装置で入力された診察券番号から得られた患者情報と、身体情報採取装置から得られた身体状況データとの関連付けを行うことが課題である。【解決手段】カード読取装置、身体情報採取装置、コンピュータならびに端末装置、コンピュータならびにコンピュータに記憶されたソフトウェアで身体情報管理システムを構成し、該身体情報採取装置で測定された身体状況データに、タイムスタンプが付加された身体情報を受信したときに、そのタイムスタンプの時刻より以前で、かつ最も古い時刻のタイムスタンプを有する患者情報を該身体情報とを関連付けして統合情報とした。【選択図】図１
2020061106.tif 000002
【特許請求の範囲】
【請求項１】
カード読取装置、身体情報採取装置、端末装置、コンピュータならびにコンピュータに記憶されたソフトウェアで構成され、
該カード読取装置で読取られる診察券番号と該診察番号をキーとして検索される患者氏名と受付時刻のタイムスタンプとを患者情報として記憶する患者情報テーブルを有し、
該身体情報採取装置が採取した身体状況データとそれに付加されたタイムスタンプとで構成される身体情報を受け取ったときに、該患者情報テーブルから、該身体情報のタイムスタンプに記録されている時刻より以前であって、かつ最も古い時刻のタイムスタンプを有する患者情報と該身体情報とを関連付けして統合情報として、カルテシステムに該統合情報を送付することを特徴とする身体情報管理システム。
【請求項２】
請求項１に記載した身体情報管理システムにおいて、
該カード読取装置で診察券番号を読み込み、
該診察券番号をもとに該カルテシステムが保有するデータベースを検索して得られた患者氏名を該端末装置に表示し、
患者が該端末の表示内容が正しいことを確認したことを示す入力を該身体情報管理システムが受け取ったとき、該患者氏名、診察券番号に加えて、タイムスタンプを付加して患者情報とすることを特徴とする身体情報管理システム。
【請求項３】
請求項１に記載した身体情報管理システムにおいて、
該患者情報と該身体情報が関連付けられて該端末装置に表示され、
患者が表示内容が正しいことを確認したことを示す入力を該身体情報管理システムが受け取ったとき、該統合情報を生成することを特徴とする身体情報管理システム。
【請求項４】
請求項１に示した身体情報管理システムにおいて、
該統合情報が、電子カルテシステムに読み込まれ、電子カルテに患者の身体状況データが表示されることを特徴とする身体情報管理システム。
【請求項５】
請求項１に示した身体情報管理システムにおいて、
該カード読取装置が情報を記録及び読み取る手段が、光学的な方法であるバーコード又は二次元コード読取あるいは磁気的な方法である磁気ストライプ読取によることを特徴とする身体情報管理システム。
【請求項６】
請求項１に記載の身体情報管理システムにおいて、
タイムスタンプが付加された身体情報を受信又は確認したときに、該タイムスタンプの時刻より古いタイムスタンプを有する患者情報がないときに、
患者に診察券読取から、身体情報採取装置による測定、撮影又は検査をやり直すように指示することを
特徴とする身体情報管理システム。
【請求項７】
請求項１に記載の身体情報管理システムにおいて、
タイムスタンプの時刻より所定の時間を越えて存在する患者情報を該患者情報テーブルから強制的に消去することを特徴とする身体情報管理システム。
【発明の詳細な説明】
【技術分野】
【０００１】
本発明は、身体情報管理システムに関する。とくに、医療機関において患者の名前と採取した患者に関する身体状況データとをタイムスタンプを使って関連付けする身体情報管理システムに関する。
【背景技術】
【０００２】
医療機関が患者診断において、患者に関する身体状況データを採取することは非常に重要であることは言うまでもない。患者に関する身体状況データとしては、体重、血圧、体温、心電図、レントゲン写真、エコー写真等多岐に渡り、その数は日々増大する一方である。  このように増大する患者状況データを簡易且つ正確に管理することが要請される。一方、医療機関全体の管理システムが高度化する中で、採取したデータと患者との関連付けが一つの課題である。
【０００３】
本発明は、採取する各種身体状況データに共通に適用できるのが特徴であるので、以下体重測定を例に説明する。
腎機能検査あるいは腎臓透析などの理由によって医療機関で受診あるいは治療する患者の治療前後の体重の変化は、治療の成果や病状を知るための極めて重要なデータである。
【０００４】
例えば、体重測定を含む複数の医療装置からの計測データを収集、通信、表示、及び／又は分析するためのシステムが提案されている（特許文献１）。これは、複数の患者に対応しており、各種の医療装置からのデータがいずれの患者のものであるかを関連付ける機能を持っている。
【０００５】
しかし、この医療装置からの計測データを収集する技術は、タイムスタンプを利用しているものではない。
【０００６】
別の例として、乳児の状態を知るために正確な体重、またはそれまでの体重の推移を求めるためにセンサーによって測定した重量値と測定時のタイムスタンプを一緒に記録する技術が提案されている。（特許文献２）
【０００７】
しかし、この技術では単に体重を測定したタイミングを記録するためにタイムスタンプが使われているだけであり、情報の関連付けにタイムスタンプが使われることは無い。
【先行技術文献】
【特許文献】
【０００８】
【特許文献１】公表特許公報２０１１−５０４３７９号
【特許文献２】公開特許公報２０１２−１４１３０６号
【発明の概要】
【発明が解決しようとする課題】
【０００９】
一般の業務用（医療用）体重計は、測定データをコンピュータに向けて送り出すインターフェースを具備しているが、患者情報（例えば、氏名、年齢、あるいは診察券番号などの集合を指す）を測定データに付加するようには出来ていない。
【００１０】
従って、電子カルテを取り扱うカルテシステムに患者の体重測定値を登録する場合には、氏名情報を何らかの方策で別途入力する必要がある。例えば、診察券読取装置あるいは診察券番号入力装置を体重計に追加装備して、体重情報と患者情報を一括してコンピュータに送付するか、もしくは患者自身か看護師などが体重計の測定値を読み、患者の情報と併せて、適切な入力装置を使って、別途システムに入力する必要がある。
【００１１】
体重測定値をコンピュータに送り込むインターフェースを有する体重計は一般に販売されている。また、診察券情報を読み取り、コンピュータに送り込むインターフェースを有するカード読取装置も一般に販売されている。しかしながら、カード読取装置を具備した体重計は、一般には販売されていない。
【００１２】
本発明は、市販のカード読取装置で入力された診察券番号をキーとしてシステム内で得られる患者情報と、同じく市販の体重計から得られる体重情報とを、システムが関連付けを行うことによって、関連付けられた統合情報をカルテシステムに取り込んで、医者が電子カルテ上で当該患者の体重測定値として見ることができるようにすることを課題とする。
【課題を解決するための手段】
【００１３】
以下で、患者情報とは、患者氏名、年齢、性別、診察券番号などの項目の一部または全部を指し、また体重情報とは患者の体重、測定日時などの項目の一部または全部を指し、統合情報とは患者情報と体重情報を併せた項目の一部または全部を指すものとする。
また、２つの情報を関連付けるとは、通常「紐付け」あるいは「括り付け」と呼ばれるもので、２つの情報を一連の統合情報として扱えるようにすることである。
【００１４】
本発明の体重情報管理システムは、カード読取装置、体重測定装置、端末装置、コンピュータ、ならびにコンピュータに記憶されたソフトウェアで構成される。該カード読取装置で読取られる診察券番号をキーとして検索できる患者氏名と、別途付加されるタイムスタンプ（以下、診察券ＴＳと称する）を患者情報として記憶する患者情報テーブルを有しており、一方体重計で測定された体重測定値を受信すると、タイムスタンプ（以下、体重ＴＳと称する）を付加し、体重情報として、記憶する。次に、該患者情報テーブルの中から、該体重情報の体重ＴＳに記録されている時刻より以前であって、かつ最も古い時刻の診察券ＴＳを有する患者情報を選んで該体重情報と関連付けして統合情報とし、カルテシステムに送付する。
【００１５】
上記診察券ＴＳは、体重情報管理システムが、該カード読取装置で診察券番号を読み込み、該診察券番号をもとにカルテシステムが保持するデータベースを検索して得られた患者情報、例えば患者氏名を端末装置に表示し、その表示内容を患者が確認したことを示す入力を受け取ったとき、該患者情報にタイムスタンプを付加し、該患者情報テーブルに登録する。
【００１６】
また、体重情報管理システムは、患者情報と体重情報を関連付け、端末装置に表示し、患者が表示内容を確認したことを示す入力を受け取ったとき、該関連付けられた患者情報と体重情報を統合情報として、カルテシステムに送付する。
【００１７】
さらに、該統合情報をカルテシステムが受け取るとデータベースに登録し、その結果、医師が電子カルテを開いたときに体重が表示される。
【００１８】
また、該関連付けされた統合情報の過去の一連の集合から、カルテシステムが統計処理等を行い、その結果が電子カルテに表示されるようにすることも可能である。
【００１９】
また、前記の体重情報管理システムにおいて、該カード読取装置が情報を読取る手段は、光学的な方法であるバーコード又は二次元コードの読取りであるか、あるいは磁気的な方法である磁気ストライプ読取りによる。
【００２０】
本発明の要点は、診療機関において市販のカード読取装置が患者の診察券を読み取って、読み取った情報をコンピュータに送り、コンピュータがその診察券番号から検索して得た患者の氏名情報と、同じく市販の体重計からコンピュータに送られた患者の体重情報を、コンピュータの中で関連付け、統合情報とすることにある。
【００２１】
体重情報管理システムから送付され、カルテシステムに登録された統合情報は、医師がディスプレイに表示して読むことができる。また、患者の過去の体重情報の集合から統計処理によって得られた情報をディスプレイに表示して読むこともできる。
【００２２】
体重情報管理システムと電子カルテを記録してあるカルテシステムとは同一のコンピュータに実装しても、別々のコンピュータに実装しても構わない。以降の説明では、同一コンピュータ上に実装されていることを前提とする。
【発明の効果】
【００２３】
本発明によれば、コンピュータとの接続インターフェースを有する一般に販売されている体重測定装置及びカード読取装置をそれぞれ個別に購入して、体重情報管理システムを搭載したコンピュータに接続することによって、患者情報と体重情報の関連付けが出来る。
【００２４】
その関連付けされた統合情報は体重情報管理システムからカルテシステムに送られる。これによって、医師が患者を診察するとき、カルテシステムを使って医師が電子カルテを表示させると、体重の計測値またはその推移を知ることができる。
【図面の簡単な説明】
【００２５】
【図１】体重情報管理システムの全体構成を示す概念図
【図２】機器とコンピュータを接続するアダプタおよびＬＡＮハブの説明図
【図３】体重情報管理システムの動作を示すフローチャートの１
【図４】体重情報管理システムの動作を示すフローチャートの２
【図５】体重情報管理システムのソフトウェアの構成を示す概念図
【図６】患者情報テーブルの構造を示す概念図
【発明を実施するための形態】
【実施例】
【００２６】
以下、本発明の実施の形態について、図面を参照しつつ詳細に説明する。図１は、本発明の体重情報管理システムの全体構成を示す概念図である。
【００２７】
コンピュータ１には体重情報管理システムを実行するソフトウェアが実装されている。また、コンピュータ１には電子カルテを管理するカルテシステムのソフトウェアも実装されている。体重情報管理システムとカルテシステムは並列して動作することができ、２つのシステムの間では容易に情報のやりとりを行うことができる。
【００２８】
２つのソフトウェアは所定の情報処理を行うためにそれぞれデータベース或いは患者情報テーブルを保有しており、コンピュータ１にはデータベース或いは患者情報テーブルの情報を記録し、読出しができる記憶装置１３が接続されている。
【００２９】
図６は、患者情報テーブル構成を示す概念図である。患者ＩＤは、数字あるいはアルファベットの組み合わせからなり、その桁数は、病院等で適宜定めてよい。氏名は、漢字、仮名、カタカナで表示されるが、アルファベット等でも良い。タイムスタンプは、日の欄は、年３６５又は３６６日を通算したもので、３桁（ｄｄｄ）で表示され、時間の欄は、２４時間表示（ｈｈ）、分の欄は、６０分表示（ｍｍ）、秒の欄は、６０秒表示（ｓｓ）で表示される。性別の欄は、男性ｍ、女性ｆで表示される。なお、項番Ｎｏは、１、２、・・・・ｎとするが、特にこれに限定されるものではない。
【００３０】
端末装置２は、タッチパネル式のディスプレイ２１を備えており、コンピュータ１から受け取った情報をディスプレイ２１に表示することができ、またタッチパネルからコンピュータ１に「ＯＫ」または「ＮＯ」などを入力することができる。端末装置２に、タッチパネルがなく、外付けの「ＯＫ／ＮＯ」  ボタンで入力する方法であっても良い。
また、図１には、端末装置２は、１装置のみ記載しているが、複数台を設置することが出来る。
【００３１】
カード読取装置３は、机（図示していない）の上に置かれる据置式であり、患者の診察券７にある光学式のバーコード又は二次元コードあるいは磁気式のストライプから診察券番号またはＩＤを読み取るためのものである。体重計４はいわゆる業務用（医療用）体重測定装置であり、台の上に患者が乗ると体重を計測し、その値を表示部４１の表示パネルに表示する。また表示部４１には、コンピュータ１に対して、「ＯＫ」または「ＮＯ」などを入力するための押しボタン、又はタッチパネル上に「ＯＫ」又は「ＮＯ」ボタンが用意されている。「ＯＫ」又は「ＮＯ」の情報が入力されるとその情報は、コンピュータ１に送付される。
【００３２】
端末装置２はハブ６を介してコンピュータ１に接続されている。カード読取装置３と体重計４は、アダプタ５によって情報の形式をＲＳ２３２からＬＡＮインターフェースに変換してから、ハブ６を介してコンピュータ１に接続されている。
【００３３】
図２は、機器とコンピュータを接続するアダプタおよびハブの説明図である。アダプタ５は、カード読取装置３ならびに体重計４と接続するためのＲＳ２３２ポート５１、５２をそれぞれ備えており、またハブ６と接続するためのＬＡＮポート５３を備えている。変換回路５４はＲＳ２３２信号とＬＡＮインターフェース信号を双方向に変換する。
【００３４】
端末装置２のデータ形式はＬＡＮインターフェースに限られるものではなく、例えばＵＳＢでも良い。ハブ６はＬＡＮハブではなく、例えばＵＳＢハブでも良い。カード読取装置３と体重計４のデータ形式はＲＳ２３２に限られるものではなく、またその場合、アダプタ５はそれに適合したものを使用する。
【００３５】
次に、上に説明した構成からなる体重情報管理システムの動作について説明する。図３、図４は体重情報管理システムの動作を示す連続したフローチャートである。
また、図５は体重情報管理システムのソフトウェアの構成を示す概念図である。体重情報管理システムソフトウエアは、診察券読取装置に対応する診察券読取モジュール、体重計に対応する体重測定モジュール、端末装置に対応する入出力モジュールとそれらモジュール及びカルテシステムと協業して処理を実行する管理モジュールより構成される。
【００３６】
体重情報管理システムは、コンピュータ１に電源が投入されると「ＳＴＡＲＴ」から開始する。患者８がカード読取装置３に診察券７をかざす（Ｓ０１）と、診察券情報である診察券番号（もしくはＩＤ）が読み取られる。読み取られた診察券番号は、図５に示すように、診察券読取モジュールに送られる。次いで、診察券番号は、患者モジュールから管理モジュールに送られ、管理モジュールからカルテシステムに送られる。（Ｓ０２）。
【００３７】
カルテシステムは診察券番号をキーとしてデータベースを検索して、対応する患者氏名等を抽出し、得られた患者氏名等を管理モジュールに通知する（Ｓ０３）。
通知を受けた管理モジュールは、入出力モジュールを経由して該患者氏名等を端末装置２に送る。端末装置２はディスプレイ２１にカルテシステムから受け取った患者氏名等を表示する（Ｓ０４）。
【００３８】
次に、患者は端末装置２のディスプレイ２１に表示された氏名が自分を示しているか確認し（Ｓ０５）、正しければ端末装置２のディスプレイ２１のタッチパネルを使って、「ＯＫ」を入力する。この入力は入出力モジュールを経由して管理モジュールに送られ、管理モジュールは患者情報を確定して、タイムスタンプを付加したレコードを生成し、患者情報テーブルに登録する（Ｓ０６）。
【００３９】
もし、端末装置２のディスプレイ２１に表示された氏名が自分を示していない場合は、端末装置２のディスプレイ２１のタッチパネルを使って、「ＮＯ」を入力する。患者に対して、Ｓ０１に戻って、診察券７の読み取りからやり直すように、体重情報管理システムからの指示が端末２に表示される。
【００４０】
患者は、端末装置２のディスプレイ２１に表示された氏名が自分であり、「ＯＫ」を入力した場合は体重計４に乗る（Ｓ０７）。体重の測定値が安定し、体重計４の表示部４１に体重の測定値が表示さると、それがＲＳ２３２ポートにも出力される。体重測定モジュールはそれを読み取り、管理モジュールに送付する（Ｓ０８）。
【００４１】
管理モジュールは、送られてきた体重測定値にタイムスタンプ（体重ＴＳ）を付加し、体重情報として記憶する（Ｓ０９）。この体重情報には氏名などの患者情報が無い。
【００４２】
該体重情報を受け取った管理モジュールは、患者情報テーブルを検索して、それまでに受け付け済で、かつ未処理である患者情報の中から最も古い患者情報を抽出する（Ｓ１０）。得られた患者情報と送られてきた前記体重情報を関連づけて、入出力モジュール経由で端末装置２に送る。端末装置２は、これをディスプレイ２１に表示する（Ｓ１１）。
【００４３】
患者が体重計４から降りて、端末装置２のディスプレイ２１に表示された患者氏名と体重測定値を確認（Ｓ１２）して、内容が正しければディスプレイ２１のタッチパネルを使って「ＯＫ」を入力し（Ｓ１２  ＹＥＳ）、誤りが有れば「ＮＯ」を入力する（Ｓ１２  ＮＯ）。
なお、この際の端末２は、先に診察券読取りの際、患者氏名の確認に用いた端末２と物理的に同一の端末でもよいが、カード読取装置３と体重計４が距離的に離れている場合には、物理的にそれぞれ別の端末であってもよい。
【００４４】
「ＯＫ」が入力された場合は、体重情報管理システムはそれに応じて患者氏名を含む患者情報と体重測定値を含む体重情報を関連付けた統合情報を生成する（Ｓ１５）。その統合情報をカルテシステムに送る（Ｓ１６）。統合情報をカルテシステムに送付後、患者情報テーブルの当該患者情報レコードは処理済となったので消去する（Ｓ１７）。一方、カルテシステムは体重情報管理システムから送られてきた統合情報に基づいて、データベースの当該患者のレコードに該体重情報を追記する。（Ｓ１８）。
【００４５】
一方、「ＮＯ」が入力された場合は、患者情報テーブルの複数の患者情報の内、先に選択した患者情報のその次に古い患者情報と当該体重情報を関連づけて、前回と同様に体重計４の近傍に置かれた端末装置２に患者氏名などと体重測定値を再度表示する。この表示に対して、患者が前回と同様に内容確認を行い、「ＯＫ」又は「ＮＯ」のいずれかの回答を入力する。この回答入力に従って、体重情報管理システムは、それぞれ前回と同じ処理を行う。
【００４６】
このように体重情報管理システムは、「ＯＫ」が入力されると関連付けられた当該患者情報と当該体重情報を併せて統合情報としてカルテシステムに送付し、該患者情報を患者情報テーブルから消去すると共に、該体重情報も廃棄する。カルテシステムは、受け取った該統合情報に基ついて、当該患者の体重情報、測定時刻を有するレコードを作成し、データベースに追加する。
【００４７】
しかし、患者の入力が「ＮＯ」のまま繰り返えされて、患者情報テーブルに当該体重情報に記載された体重ＴＳの時刻より古い時刻を診察券ＴＳとして持つ患者情報レコードが無くなってしまった場合には、端末装置２を使って、患者に対して、氏名などの確認が出来ないので、再度、診察券読み取りを行い、体重測定もやり直すように指示する。
【００４８】
再度の体重測定のやり直し指示は、体重情報を受領した当初から古い診察券ＴＳを時刻として持つ患者情報が一つも存在しなかった場合にも、同じように行われる。
【００４９】
なお、患者情報については、レコード生成、患者情報テーブル登録から一定の時間（例えば、３０分あるいは１時間）後に処理済消去されずに残っている場合は、強制的に消去する。これは患者が、体重測定の意思を持って、カード読取装置で診察券を読み取った後で、何かの事情で体重測定を中止したと推定されるからである。
【００５０】
患者情報が処理済消去あるいは強制的に消去によって、一つも存在しない状態で体重測定を行った場合には、上記説明の通り、再度診察券読取から体重測定をやり直すように端末２に指示が出されることになる。診察券読取をしないで、体重計に乗った場合にも、同じように、診察券読取から体重測定をやり直すように端末２に指示が出される。
【００５１】
さて、上述のようにして生成された統合情報はカルテシステムによって患者のデータベースに追加して書き込まれ、医師が電子カルテを開いた時、ディスプレイ１２に表示される。また、カルテシステムによって、直近の体重測定値だけでなく、過去の複数の体重測定値を時間と関連させて統計処理した結果、例えば過去の治療前後の体重の推移が分かるように処理した結果も患者の電子カルテに書き込まれ、同様に表示されて見ることができる。
【００５２】
この実施例では、体重情報管理システムとカルテシステムは同一のコンピュータに実装されているものとして説明したが、それぞれが別のコンピュータに実装されていて、そのコンピュータ同士がＬＡＮなどで接続されていても良い。
【００５３】
また体重情報管理システムとカルテシステムは別々の独立したソフトウェアであるものとして説明したが、体重情報管理システムとして機能するプログラムがカルテシステムに追加したサブルーチン、あるいはアドオンであっても良い。
【００５４】
このようにして、カード読取装置で入力された診察券番号から得られる患者情報と、体重計から得られる体重情報とを、システムがタイムスタンプに基づいて、関連付けを行うことによって、関連付けられた統合情報をカルテシステムに取り込んで、医師が電子カルテ上で見ることができるようになった。
【００５５】
なお、以上、体重測定装置の場合について説明したが、本発明はそれに限定されず、病院等に設置される血圧測定装置、レントゲン撮影装置、心電図測定装置、エコー検査装置、超音波測定装置等の身体情報採取装置が採取した身体状況データ（上述の体重測定値に相当する）にタイムスタンプを付加した身体情報（上述の体重情報に相当する）と患者情報との関連付けにおいても、適用することが出来る。
【符号の説明】
【００５６】
１      コンピュータ
１１    キーボード
１２    ディスプレイ
１３    記憶装置
２      端末装置
２１    ディスプレイ
３      カード読取装置
４      体重計
４１    表示部
５      アダプタ
５１    ＲＳ２３２ポート
５２    ＲＳ２３２ポート
５３    ＬＡＮポート
５４    変換回路
６      ハブ
６１    ＬＡＮポート
６２    ＬＡＮポート
６３    ＬＡＮポート
７      診察券
８      患者
【図１】
2020061106.tif 000003
【図２】
2020061106.tif 000004
【図３】
2020061106.tif 000005
【図４】
2020061106.tif 000006
【図５】
2020061106.tif 000007
【図６】
2020061106.tif 000008
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
カード読取装置、身体情報採取装置、端末装置、コンピュータならびにコンピュータに記憶されたソフトウェアで構成され、
該カード読取装置で読取られる診察券番号と該診察番号をキーとして検索される患者氏名と受付時刻のタイムスタンプとを患者情報として記憶する患者情報テーブルを有し、
該身体情報採取装置が採取した身体状況データとそれに付加されたタイムスタンプとで構成される身体情報を受け取ったときに、該患者情報テーブルから、該身体情報のタイムスタンプに記録されている時刻より以前であって、かつ最も古い時刻のタイムスタンプを有する患者情報と該身体情報とを関連付けして、該端末装置に表示し、患者が表示内容の正しいことを確認したことを示す入力を該身体情報管理システムが受け取ったとき、関連付けされた該患者情報と該身体情報を統合情報として、カルテシステムに送付することを特徴とする身体情報管理システム。
【請求項２】
請求項１に記載の身体情報管理システムにおいて、
タイムスタンプが付加された身体情報を受信又は確認したときに、該タイムスタンプの時刻より古いタイムスタンプを有する患者情報がないときに、
患者に診察券読取から、身体情報採取装置による測定、撮影又は検査をやり直すように指示することを
特徴とする身体情報管理システム。